(57)【要約】      （修正有）【課題】特にこどもの患者を対象として，点滴の恐怖感や退屈感を緩和する点滴容器カバーを提供する。【解決手段】点滴容器を覆う点滴容器カバー１０は，点滴の薬液量を確認するための確認部２０と，こどもが好む絵や写真等が表示された表示部３０とを備える。【選択図】図１
2015051173.tif 000002
【特許請求の範囲】
【請求項１】
点滴の中身を確認するための確認部と，絵や写真等が表示される表示部とを備え，点滴容器を覆うことを特徴とする点滴容器カバー
【請求項２】
点滴吊り部をさらに備えることを特徴とする請求項１に記載の点滴容器カバー
【請求項３】
氏名等の記載部をさらに備えることを特徴とする請求項１又は２に記載の点滴容器カバー
【請求項４】
表示部が，シールとなっていることを特徴とする請求項１から３に記載の点滴容器カバー
【請求項５】
点滴容器カバーが，長方形様の形状からなることを特徴とする請求項１ないし４に記載の点滴容器カバー
【請求項６】
確認部が，点滴容器カバーの縦中央を境に等分に分けた際に，その一側面を大きく占める窓状形状となっていることを特徴とする請求項１ないし５に記載の点滴容器カバー
【発明の詳細な説明】
【技術分野】
【０００１】
本発明は，点滴容器カバーに関する。
【背景技術】
【０００２】
点滴とは，針を静脈に留置し，数時間程度，薬液を滴下して行われる医療行為をいう。点滴は，患者に対して病院で行われるのが通常である。
【０００３】
点滴の際，血管に針を刺すため，患者にとって，痛みを生じる。また，点滴は比較的長時間に及ぶことが多く，留置した針等が原因となってしびれや痛みを生じたりすることがまれに生じる。
【先行技術文献】
【特許文献】
【０００４】
【特許文献１】特開２０１３−０４２８２３
【発明の開示】
【発明が解決しようとする課題】
【０００５】
点滴の際の痛みやしびれは，点滴に対して恐怖感を生じさせるものであり，また，長時間に及ぶ点滴は退屈感を生じさせるものである。
患者によっては，反復継続して点滴を行わざるを得ない患者もおり，このような患者の中にはこどもの患者もいる。こどもの患者の場合，点滴の恐怖感や退屈感を緩和しなければ，泣いたり，ごねたりするなどして，スムーズな医療行為に支障が生じかねない。そのため，こどもの患者にとっては特に，点滴の恐怖感や退屈感を緩和することが非常に重要である。
【０００６】
上記事情を背景として，本発明では，特にこどもの患者を対象として，点滴の恐怖感や退屈感を緩和することが可能なモノの発明を課題とする。
【課題を解決するための手段】
【０００７】
発明者らは，鋭意研究の結果，点滴容器を覆うカバーに着想した。
すなわち，点滴容器自体が点滴行為を想起させるため，点滴容器をカバーで覆い隠し，かつ，そのカバーにこどもが好む絵や写真を表示させることにより，こどもの恐怖感を緩和するというアプローチである。加えて，カバーに，薬液量の確認を行うことができる構成を備えることにより，医療上の使用に支障をきたさないような点滴容器カバーとした。
【０００８】
この点滴容器カバーは，通常の医療常識からは容易に相当できないものである。
すなわち，点滴容器は，薬剤名ないし薬液量等の確認の観点を行う必要があり，また点滴容器を覆う必要性も特段ないため，点滴容器カバー自体が製品として全く成立しておらず，また，製品として知られてもいない。
点滴容器カバーについて，一部，その技術を開示しているものがあるが（特許文献１），この先行技術は，主としてプライバシー保護の観点から構成されるものであり，加えて，プライバシー保護の目的から全体を覆うことを構成の一つとしている。そのため，薬液量の確認がしがたいという課題を有する。これらの点から，目的的にも構成としても，本願発明と異なるものである。
【０００９】
本発明は，以下の構成からなる。
本発明の第一の構成は，点滴の中身を確認するための確認部と，絵や写真等が表示される表示部とを備え，点滴容器を覆うことを特徴とする点滴容器カバーである。
【００１０】
本発明の第二の構成は，点滴吊り部をさらに備えることを特徴とする第一の構成に記載の点滴容器カバーである。
本発明の第三の構成は，氏名等の記載部をさらに備えることを特徴とする第一又は第二の構成に記載の点滴容器カバーである。
本発明の第四の構成は，表示部が，シールとなっていることを特徴とする第一から第三の構成に記載の点滴容器カバーである。
【００１１】
本発明の第五の構成は，点滴容器カバーが，長方形様の形状からなることを特徴とする第一ないし第四の構成に記載の点滴容器カバーである。
本発明の第六の構成は，確認部が，点滴容器カバーの縦中央を境に等分に分けた際に，その一側面を大きく占める窓状形状となっていることを特徴とする第一ないし第五の構成に記載の点滴容器カバーである。
【発明の効果】
【００１２】
本発明により，こどもの患者を対象として，点滴の恐怖感や退屈感を緩和することが可能な点滴容器カバーの提供が可能となった。
すなわち，本発明の点滴容器カバーにより，点滴容器が覆い隠されており，かつ，こどもが好む絵や写真が表示されていることから，こどもの恐怖感や退屈感が緩和されるという効果を有する。加えて，本発明の点滴容器カバーは確認部を備え，薬液量の確認を行うことができる構成となっていることから，医療上の使用にも支障をきたさないものである。
【図面の簡単な説明】
【００１３】
【図１】点滴容器カバーの典型例
【図２】点滴容器カバーの使用例
【図３】点滴容器カバーを使用する前の例
【図４】点滴容器カバーの例
【図５】点滴容器カバーの例
【図６】点滴容器カバーの例
【図７】点滴容器カバーの例
【発明を実施するための形態】
【００１４】
以下，図面を例にとり，本発明の点滴容器カバーの説明を行うが，本発明を以下の内容に限定的に解釈すべきでないことはいうまでもない。
【００１５】
＜＜Ｉ．点滴容器カバーの概要＞＞
１．図１に点滴容器カバーの典型例を，図２に点滴容器カバーの使用例を示す。また，図３は，点滴容器カバーを使用する前の状態の例である。
２．点滴容器カバー１０は，確認部２０，表示部３０，点滴吊り部４０，氏名記載部５０，フリー記載部６０，折り部７０を備えた構成となっている。同様に，点滴容器カバー１０’は，確認部２０’，表示部３０’，点滴吊り部４０’，氏名記載部５０’，フリー記載部６０’，折り部７０’を備えた構成となっている。
【００１６】
３．点滴容器カバーを使用する際，点滴容器カバー１０’の，確認部２０’ならびに点滴吊り部４０’を覆っている部分を剥がして用いる。剥がした後，折り部７０’（点滴容器カバー１０の場合は折り部７０，以下同様）を折り曲げて，点滴容器の吊り手の部分を点滴吊り部４０’に通して装着する。必要に応じて，氏名記載部５０’に患者の氏名を，フリー記載部６０’に点滴開始時刻などを記載することができる。
４．図１の点滴容器カバーを用い点滴容器を装着し，実際に使用を行う際は，確認部２０から点滴容器内の薬液量を確認することが容易に可能である。その他，点滴容器の横側や最下部を目視することによっても確認は可能である。
５．図１における表示部３０は，ゾウの絵となっており，これをこどもの患者が見ることにより，安心感や楽しみを与えることが可能である。さらに，表示部３０がシールとなっていることにより，点滴終了時にこのシールをはがしてもらえることが楽しみの一つとなることから，点滴治療における，こどもの患者の充実感や満足感を与える一助とすることができる。
【００１７】
６．点滴容器カバーは，確認部と表示部を必須の構成とし，その他，種々の構成を備えることができる。任意の構成として，例えば，点滴吊り部や氏名記載部，フリー記載部，折り部などである。
７．点滴容器カバーは，点滴容器を覆う程度の大きさであり，用いる点滴容器に応じて様々な大きさとすることができる。
８．また，点滴容器カバーは，基本的には，紙やプラスチックなど使い捨ての部材で構成されている。
９．加えて，点滴容器カバーは，典型例の用に点滴容器を上から覆うような構成とすることが取扱の観点から最も好ましいが，これに限定するものではない。例えば，下ないし横から覆って，点滴容器カバー上部をシールや紐等の固定手段で固定したりするなど，種々の構成を採用することができる。
【００１８】
＜＜II．点滴容器カバーの構成＞＞
ここでは，点滴容器カバーの各構成について，図面を例にとり説明を行う。
【００１９】
［確認部］
１．確認部は，点滴容器の内容量を確認するための部位としての役割を果たす。確認部により，看護師等が目視で点滴容器の内容量を確認することができるため，医療上の使用に支障をきたさないという効果を有する。
２．確認部は，内容量確認の役割を果たしうる限り，特に限定する必要はなく，種々の構成や形状を採用することができる。
(1)  確認部は，例えば，点滴容器カバーの縦中央を境に等分に分けた際に，その一側面を大きく占める窓状形状のような構成（図１の２０，図４の２１，図５の２２）とすることが好ましい。これにより，点滴容器の薬液量の視認性を高めることが可能となり，点滴容器カバーの取扱性を向上させるという効果を有する。
(2)  確認部は，例えば，細長い形状の窓とすることができる（図６，２３）。その他，切り欠けの形状として，確認部を設けることもできる（図７，２４）。
３．確認部は，これらの形状に限定する必要はなく，例えば，楕円状であってもよいし，星状や三角状，キャラクターの形状など，種々の形状の構成を採用することができる。
【００２０】
［表示部］
１．表示部は，点滴容器カバー上において，こどもの患者が好む絵や写真などが表示される部位としての役割を果たす。表示部により，こどもの患者が点滴容器カバーの絵や写真に注意力を注ぎやすくなることから，こどもの患者の点滴行為への恐怖感や退屈感を緩和するという効果を有する。
２．表示される絵や写真については，こどもの患者が好みうる限り特に限定する必要はなく種々の絵や写真を採用することができる。表示部に表示される絵や写真として，例えば，動物やアニメ等のキャラクター，車や飛行機，花などが挙げられる。
３．表示部は，図１等に示すように１か所であってもよいし，また，図６や図７などに示すように２か所以上の表示部があっても構わない。
４．表示部は，シールとなっていることが好ましい。これにより，点滴が完了した後に，表示部のシールを剥がし自らのものにするという楽しみが出てくるため，こどもの患者の退屈感を減弱する効果を有する。加えて，こどもの患者が，シールが得られることを楽しみに，積極的に点滴行為に協力しうる効果が期待できる。
【００２１】
［点滴吊り部］
１．点滴吊り部は，点滴容器の取っ手部分に通して，点滴容器カバーを装着しやすくするための役割を果たす。これにより，点滴容器カバーを容易に，点滴容器に装着することが可能となり，点滴容器カバーの取扱性を向上させる効果を有する。
２．点滴吊り部は，点滴容器の取っ手部分に通しうる限りは特に限定する必要はなく，種々の形状を採用することができる。例えば，正方形類似の形状（図１の４０，図４の４１など）でもよいし，長方形類似の形状（図５の４２）であってもよい。
【００２２】
［記載部］
１．記載部は，患者の氏名や点滴開始時刻等の重要情報を記載するためのメモ帳的な役割を果たす。記載部により，点滴容器の患者取違えや点滴終了時刻の勘違いなどを防止することが可能となり，点滴治療の確実性に寄与しうるという効果を有する。
２．記載部は，図１の氏名記載部５０やフリー記載部６０のように，必須の構成等の残りのスペースを用いて記載部を設けることができ，その形状等については自由に設定することができる。
【００２３】
以上，本発明の点滴容器カバーについて，説明を行ってきた。本発明の点滴容器カバーは，特にこどもの患者を対象としたものであるが，それ以外の患者を対象とすることを排除するものではない。本発明の大きな趣旨の一つである，反復継続した点滴治療への恐怖感や退屈感を緩和する対象としては，必ずしもこどもの患者に限られないからである。
【符号の説明】
【００２４】
１０〜１４…点滴容器カバー，２０〜２４…確認部，３０〜３４…表示部
４０〜４４…点滴吊り部，５０…氏名記載部，６０…フリー記載部，７０…折り部
【図１】
2015051173.tif 000003
【図２】
2015051173.tif 000004
【図３】
2015051173.tif 000005
【図４】
2015051173.tif 000006
【図５】
2015051173.tif 000007
【図６】
2015051173.tif 000008
【図７】
2015051173.tif 000009